(57)【要約】【課題】ユーザによるプレゼンテーション中に、プレゼンテーションの状況に応じてリアルタイムに資料の内容を編集することができ、しかも編集のために特別に資料を準備する必要がないプレゼンテーション資料編集装置およびプレゼンテーションシステムを提供すること。【解決手段】ＭＦＰ１０は、プロジェクタ５２、およびマイクロフォン５３と、ネットワーク５１を介して、それぞれデータの送信または受信が可能である。ＭＦＰ１０は、ハードディスク２３と、指示検出部２５と、資料編集部２６とを備える。指示検出部２５が、プロジェクタ５２に表示された上記画像データの内容、プロジェクタ５２への操作、またはマイクロフォン５３によって取得された音声データの内容から、上記画像データを編集すべきことを表す指示を検出したとき、上記指示の内容に応じて上記画像データを編集し、この編集された編集画像データをプロジェクタ５２へ送信する。【選択図】図４
2011086343.tif 000002
【特許請求の範囲】
【請求項１】
プレゼンテーション用の資料である画像データを画像として表示する画像表示装置、および上記プレゼンテーションにおける音声を音声データとして取得する音声入力装置とそれぞれデータの送信または受信が可能なプレゼンテーション資料編集装置であって、
上記プレゼンテーション用の画像データを格納する資料格納部と、
上記プレゼンテーション中に上記画像表示装置に表示された上記画像データの内容、上記画像表示装置への操作、または上記音声入力装置によって取得された音声データの内容から、上記画像データを編集すべきことを表す指示を検出する指示検出部と、
上記指示検出部が上記指示を検出したとき、上記指示の内容に応じて上記画像データを編集し、この編集された編集画像データを上記画像表示装置へ送信する資料編集部とを備えたことを特徴とするプレゼンテーション資料編集装置。
【請求項２】
請求項１に記載されたプレゼンテーション資料編集装置において、
上記指示検出部が検出する上記指示は、上記画像表示装置に表示された上記画像データに含まれた特定の単語であることを特徴とするプレゼンテーション資料編集装置。
【請求項３】
請求項２に記載されたプレゼンテーション資料編集装置において、
上記指示を検出したとき、上記資料編集部は、上記画像データの一部に、上記特定の単語に関連する語句又は文章を重ねて表示するように、上記画像データを編集してなる編集画像データを作成するようになっていることを特徴とするプレゼンテーション資料編集装置。
【請求項４】
請求項１に記載されたプレゼンテーション資料編集装置において、
上記指示検出部が検出する上記指示は、上記音声データに含まれた特定の単語であることを特徴とするプレゼンテーション資料編集装置。
【請求項５】
請求項４に記載されたプレゼンテーション資料編集装置において、
上記指示を検出したとき、上記資料編集部は、上記画像データの一部に、上記音声データに含まれた特定の単語に関連する語句又は文章を重ねて表示するように、上記画像データを編集してなる編集画像データを作成するようになっていることを特徴とするプレゼンテーション資料編集装置。
【請求項６】
請求項４に記載されたプレゼンテーション資料編集装置において、
上記特定の単語は、上記音声データに特定の回数以上含まれた、上記資料格納部に格納された１又は２以上の特定の画像データを指す単語であることを特徴とするプレゼンテーション資料編集装置。
【請求項７】
請求項６に記載されたプレゼンテーション資料編集装置において、
上記指示を検出したとき、上記資料編集部は、上記指示を検出した時点で上記画像表示装置に表示されている画像データの一部に、上記特定の画像データが重ねて表示されるように、上記画像データを編集してなる編集画像データを作成するようになっていることを特徴とするプレゼンテーション資料編集装置。
【請求項８】
請求項１に記載されたプレゼンテーション資料編集装置において、
上記指示検出部が検出する上記指示は、上記画像表示装置に第１の画像データが表示されているとき、上記資料格納部に格納された１又は２以上の第２の画像データを上記画像表示装置に特定の回数以上呼び出すための上記画像表示装置への操作であることを特徴とするプレゼンテーション資料編集装置。
【請求項９】
請求項８に記載されたプレゼンテーション資料編集装置において、
上記指示を検出したとき、上記資料編集部は、上記第１の画像データと上記１又は２以上の第２の画像データとが上記画像表示装置に同時に表示され得るように、上記各画像データをそれぞれ縮小して並べてなる編集画像データを作成するようになっていることを特徴とするプレゼンテーション資料編集装置。
【請求項１０】
請求項８に記載されたプレゼンテーション資料編集装置において、
上記指示を検出したとき、上記資料編集部は、上記１又は２以上の第２の画像データをそれぞれ呼び出すことを表すアイコンを生成し、上記第１の画像データの一部に上記各アイコンを重ねて表示するように上記第１の画像データを編集してなる編集画像データを作成するようになっていることを特徴とするプレゼンテーション資料編集装置。
【請求項１１】
請求項１に記載されたプレゼンテーション資料編集装置において、
上記指示検出部が検出する上記指示は、上記画像表示装置に表示された上記画像データ又は上記音声データに含まれた上記プレゼンテーションの内容の章替わりに関連した単語であることを特徴とするプレゼンテーション資料編集装置。
【請求項１２】
請求項１１に記載されたプレゼンテーション資料編集装置において、
上記プレゼンテーション用の資料は、この資料の目次を示す画像データを含み、
上記指示を検出したとき、上記資料編集部は、上記資料の目次を示す画像データにおいて、上記プレゼンテーションの進行状況を表すようにその画像データを編集するようになっていることを特徴とするプレゼンテーション資料編集装置。
【請求項１３】
プレゼンテーション用の資料である画像データを画像として表示する画像表示装置と、
上記プレゼンテーションにおける音声を音声データとして取得する音声入力装置と、
上記画像表示装置および上記音声入力装置と、それぞれデータの送信または受信が可能なプレゼンテーション資料編集装置と
を備え、
上記プレゼンテーション資料編集装置は、
上記プレゼンテーション用の画像データを格納する資料格納部と、
上記プレゼンテーション中に上記画像表示装置に表示された上記画像データの内容、上記画像表示装置への操作、または上記音声入力装置によって取得された音声データの内容から、上記画像データを編集すべきことを表す指示を検出する指示検出部と、
上記指示検出部が上記指示を検出したとき、上記指示の内容に応じて上記画像データを編集し、この編集された編集画像データを上記画像表示装置へ送信する資料編集部と
を備えたことを特徴とするプレゼンテーションシステム。
【発明の詳細な説明】
【技術分野】
【０００１】
本発明は、プレゼンテーション用の資料である画像データに基づく画像を編集して、画像表示装置に表示させるプレゼンテーション資料編集装置に関する。
【０００２】
また、本発明は、そのようなプレゼンテーション資料編集装置と、マイクロフォンなどの音声入力装置と、画像表示装置とを、互いにデータの送信または受信が可能に備えたプレゼンテーションシステムに関する。
【背景技術】
【０００３】
従来、発表資料及び補足資料を格納する格納部と、この格納部に格納された資料に基づいて、視聴者用ディスプレイと発表者用資料ディスプレイとに表示する内容を制御する表示部とを備えたプレゼンテーション支援システムが知られている（特許文献１：特開２００８−１９１４５５号公報、図１）。
【０００４】
上記プレゼンテーション支援システムでは、上記表示部は、上記発表資料及び上記補足資料を読み出し、読み出した上記発表資料を上記視聴者用ディスプレイ上に表示し、読み出した上記補足資料及び上記発表資料のいずれかを透かして透かし資料を生成し、上記透かし資料を他方の資料に重ねて合成資料を生成し、上記合成資料を上記発表者用資料ディスプレイに表示している。
【０００５】
しかしながら、上記従来のプレゼンテーション支援システムでは、予め準備された資料が合成されて表示されるため、上記資料を上記プレゼンテーションの状況に応じてリアルタイムに編集することができない。さらに、予め用意しなければならない資料が増えてしまったり、逆に不足してしまうという問題があった。
【先行技術文献】
【特許文献】
【０００６】
【特許文献１】特開２００８−１９１４５５号公報、図１
【発明の概要】
【発明が解決しようとする課題】
【０００７】
そこで、本発明の課題は、ユーザによるプレゼンテーション中に、プレゼンテーションの状況に応じてリアルタイムに資料の内容を編集することができ、しかも編集のために特別に資料を準備する必要がないプレゼンテーション資料編集装置を提供することにある。
【０００８】
また、本発明の課題は、そのようなプレゼンテーション資料編集装置と、マイクロフォンなどの音声入力装置と、画像表示装置とを、それぞれデータの送信または受信が可能に備えたプレゼンテーションシステムを提供することにある。
【課題を解決するための手段】
【０００９】
上記課題を解決するため、本発明のプレゼンテーション資料編集装置は、
プレゼンテーション用の資料である画像データを画像として表示する画像表示装置、および上記プレゼンテーションにおける音声を音声データとして取得する音声入力装置とそれぞれデータの送信または受信が可能なプレゼンテーション資料編集装置であって、
上記プレゼンテーション用の画像データを格納する資料格納部と、
上記プレゼンテーション中に上記画像表示装置に表示された上記画像データの内容、上記画像表示装置への操作、または上記音声入力装置によって取得された音声データの内容から、上記画像データを編集すべきことを表す指示を検出する指示検出部と、
上記指示検出部が上記指示を検出したとき、上記指示の内容に応じて上記画像データを編集し、この編集された編集画像データを上記画像表示装置へ送信する資料編集部とを備えたことを特徴としている。
【００１０】
本明細書で「編集」とは、画像データ等の資料の内容を追加、削除、または変更することをいう。また、「ユーザ」とは、本発明のプレゼンテーション資料編集装置を使用してプレゼンテーションを行う者のことをいう。
【００１１】
本発明のプレゼンテーション資料編集装置では、資料格納部がプレゼンテーション用の画像データを格納している。まず、指示検出部が、ユーザによるプレゼンテーション中にそのプレゼンテーションの状況、すなわち、上記画像表示装置に表示された上記画像データの内容、上記画像表示装置への操作、または上記音声入力装置によって取得された音声データの内容から、上記画像データを編集すべきことを表す指示を検出する。すると、資料編集部は、上記指示の内容に応じて上記画像データを編集し、この編集された編集画像データを上記画像表示装置へ送信する。この資料編集部による編集、および編集画像データの送信は、上記プレゼンテーション中にリアルタイムで行うことができる。したがって、このプレゼンテーション資料編集装置によれば、プレゼンテーション中に、上記プレゼンテーションの状況に応じてリアルタイムに資料の内容である上記画像データを編集することができ、しかも編集のために特別に資料を準備する必要がない。
【００１２】
一実施形態のプレゼンテーション資料編集装置では、上記指示検出部が検出する上記指示は、上記画像表示装置に表示された上記画像データに含まれた特定の単語であることを特徴としている。
【００１３】
このプレゼンテーション資料編集装置では、指示検出部は、上記画像表示装置に表示された画像データに含まれた特定の単語を、上記指示として検出する。したがって、上記画像表示装置に表示された上記画像データの内容に上記特定の単語が含まれていれば、上記画像データがリアルタイムに編集される。
【００１４】
一実施形態のプレゼンテーション資料編集装置では、上記指示を検出したとき、上記資料編集部は、上記画像データの一部に、上記特定の単語に関連する語句又は文章を重ねて表示するように、上記画像データを編集してなる編集画像データを作成するようになっていることを特徴としている。
【００１５】
このプレゼンテーション資料編集装置では、上記指示を検出したとき、資料編集部は、上記画像データの一部に、上記特定の単語に関連する語句又は文章を重ねて表示するように、編集画像データを作成する。したがって、上記プレゼンテーションを受ける者は、上記編集画像データによって、上記プレゼンテーションの内容をより容易に理解することができる。
【００１６】
一実施形態のプレゼンテーション資料編集装置では、上記指示検出部が検出する上記指示は、上記音声データに含まれた特定の単語であることを特徴としている。
【００１７】
このプレゼンテーション資料編集装置では、指示検出部は、上記音声データに含まれた特定の単語を検出する。したがって、上記音声データに上記特定の単語が含まれていれば、上記画像データがリアルタイムに編集される。
【００１８】
一実施形態のプレゼンテーション資料編集装置では、上記指示を検出したとき、上記資料編集部は、上記画像データの一部に、上記音声データに含まれた特定の単語に関連する語句又は文章を重ねて表示するように、上記画像データを編集してなる編集画像データを作成するようになっていることを特徴としている。
【００１９】
このプレゼンテーション資料編集装置では、上記指示を検出したとき、資料編集部は、上記画像データの一部に、上記音声データに含まれた特定の単語に関連する語句又は文章を重ねて表示するように、編集画像データを作成する。したがって、上記プレゼンテーションを受ける者は、上記編集画像データによって、上記プレゼンテーションの内容をより容易に理解することができる。
【００２０】
一実施形態のプレゼンテーション資料編集装置では、上記特定の単語は、上記音声データに特定の回数以上含まれた、上記資料格納部に格納された１又は２以上の特定の画像データを指す単語であることを特徴としている。
【００２１】
このプレゼンテーション資料編集装置では、指示検出部は、上記音声データに特定の回数以上含まれた、上記資料格納部に格納された１又は２以上の特定の画像データを指す単語を検出する。したがって、上記音声データに上記特定の画像データを指す単語が含まれていれば、上記画像データがリアルタイムに編集される。
【００２２】
一実施形態のプレゼンテーション資料編集装置では、上記指示を検出したとき、上記資料編集部は、上記指示を検出した時点で上記画像表示装置に表示されている画像データの一部に、上記特定の画像データが重ねて表示されるように、上記画像データを編集してなる編集画像データを作成するようになっていることを特徴としている。
【００２３】
このプレゼンテーション資料編集装置では、上記指示を検出したとき、資料編集部は、上記画像データの一部に、上記特定の画像データを重ねて表示する編集画像データを作成する。したがって、上記プレゼンテーションを受ける者は、上記編集画像データによって、上記プレゼンテーションの内容をより容易に理解することができる。
【００２４】
一実施形態のプレゼンテーション資料編集装置では、上記指示検出部が検出する上記指示は、上記画像表示装置に第１の画像データが表示されているとき、上記資料格納部に格納された１又は２以上の第２の画像データを上記画像表示装置に特定の回数以上呼び出すための上記画像表示装置への操作であることを特徴としている。
【００２５】
このプレゼンテーション資料編集装置では、上記画像表示装置に第１の画像データが表示されているとき、指示検出部は、上記資料格納部に格納された１又は２以上の第２の画像データを上記画像表示装置に特定の回数以上呼び出すための上記画像表示装置への操作を検出する。したがって、ユーザが上記画像表示装置に対してそのような操作を行えば、上記画像データがリアルタイムに編集される。
【００２６】
一実施形態のプレゼンテーション資料編集装置では、上記指示を検出したとき、上記資料編集部は、上記第１の画像データと上記１又は２以上の第２の画像データとが上記画像表示装置に同時に表示され得るように、上記各画像データをそれぞれ縮小して並べてなる編集画像データを作成するようになっていることを特徴としている。
【００２７】
このプレゼンテーション資料編集装置では、上記指示を検出したとき、資料編集部は、上記第１の画像データと上記１又は２以上の第２の画像データとが上記画像表示装置に同時に表示され得るように、上記各画像データをそれぞれ縮小して並べてなる編集画像データを作成する。したがって、上記プレゼンテーションを受ける者は、上記編集画像データによって、上記プレゼンテーションの内容をより容易に理解することができる。
【００２８】
一実施形態のプレゼンテーション資料編集装置では、上記指示を検出したとき、上記資料編集部は、上記１又は２以上の第２の画像データをそれぞれ呼び出すことを表すアイコンを生成し、上記第１の画像データの一部に上記各アイコンを重ねて表示するように上記第１の画像データを編集してなる編集画像データを作成するようになっていることを特徴としている。
【００２９】
このプレゼンテーション資料編集装置では、上記指示を検出したとき、資料編集部は、上記１又は２以上の第２の画像データをそれぞれ呼び出すことを表すアイコンを生成し、上記第１の画像データの一部に上記各アイコンを重ねて表示するように、編集画像データを作成する。したがって、このプレゼンテーションを説明する者は、上記アイコンにより、上記第１の画像データを表示しつつ、上記１又は２以上の第２の画像データをそれぞれ呼び出すことができて、上記プレゼンテーションにおける説明をしやすくなる。
【００３０】
一実施形態のプレゼンテーション資料編集装置では、上記指示検出部が検出する上記指示は、上記画像表示装置に表示された上記画像データ又は上記音声データに含まれた上記プレゼンテーションの内容の章替わりに関連した単語であることを特徴としている。
【００３１】
このプレゼンテーション資料編集装置では、指示検出部は、上記画像表示装置に表示された上記画像データ又は上記音声データに含まれた上記プレゼンテーションの内容の章替わりに関連した単語を検出する。したがって、上記画像表示装置に表示された上記画像データ又は上記音声データに上記章替わりに関連した単語が含まれていれば、上記画像データがリアルタイムに編集される。
【００３２】
一実施形態のプレゼンテーション資料編集装置では、上記プレゼンテーション用の資料は、この資料の目次を示す画像データを含み、上記指示を検出したとき、上記資料編集部は、上記資料の目次を示す画像データにおいて、上記プレゼンテーションの進行状況を表すようにその画像データを編集するようになっていることを特徴としている。
【００３３】
このプレゼンテーション資料編集装置では、上記指示を検出したとき、資料編集部は、上記資料の目次を示す画像データにおいて、上記プレゼンテーションの進行状況を表すようにその画像データを編集する。したがって、上記プレゼンテーションを受ける者は、編集された上記資料の目次を示す画像データによって、プレゼンテーションの進行状況を容易に把握することができる。
【００３４】
本発明のプレゼンテーションシステムは、
プレゼンテーション用の資料である画像データを画像として表示する画像表示装置と、
上記プレゼンテーションにおける音声を音声データとして取得する音声入力装置と、
上記画像表示装置および上記音声入力装置と、それぞれデータの送信または受信が可能なプレゼンテーション資料編集装置と
を備え、
上記プレゼンテーション資料編集装置は、
上記プレゼンテーション用の画像データを格納する資料格納部と、
上記プレゼンテーション中に上記画像表示装置に表示された上記画像データの内容、上記画像表示装置への操作、または上記音声入力装置によって取得された音声データの内容から、上記画像データを編集すべきことを表す指示を検出する指示検出部と、
上記指示検出部が上記指示を検出したとき、上記指示の内容に応じて上記画像データを編集し、この編集された編集画像データを上記画像表示装置へ送信する資料編集部と
を備えたことを特徴としている。
【００３５】
本発明のプレゼンテーションシステムの上記プレゼンテーション資料編集装置では、資料格納部がプレゼンテーション用の画像データを格納している。まず、指示検出部が、ユーザによるプレゼンテーション中にそのプレゼンテーションの状況、すなわち、上記画像表示装置に表示された上記画像データの内容、上記画像表示装置への操作、または上記音声入力装置によって取得された音声データの内容から、上記画像データを編集すべきことを表す指示を検出する。すると、資料編集部は、上記指示の内容に応じて上記画像データを編集し、この編集された編集画像データを上記画像表示装置へ送信する。この資料編集部による編集、および編集画像データの送信は、上記プレゼンテーション中にリアルタイムで行うことができる。したがって、このプレゼンテーション資料編集装置によれば、プレゼンテーション中に、上記プレゼンテーションの状況に応じてリアルタイムに資料の内容である上記画像データを編集することができ、しかも編集のために特別に資料を準備する必要がない。
【発明の効果】
【００３６】
本発明のプレゼンテーション資料編集装置によれば、プレゼンテーション中に、上記プレゼンテーションの状況に応じてリアルタイムに資料の内容である上記画像データを編集することができ、しかも編集のために特別に資料を準備する必要がない。
【００３７】
また、本発明のプレゼンテーション資料編集システムによれば、プレゼンテーション中に、上記プレゼンテーションの状況に応じてリアルタイムに資料の内容である上記画像データを編集することができ、しかも編集のために特別に資料を準備する必要がない。
【図面の簡単な説明】
【００３８】
【図１】本発明のプレゼンテーションシステムを構成する一実施形態のプレゼンテーション資料編集装置としてのＭＦＰが備えたハードウェア面からのブロック構成を示す図である。
【図２】上記ＭＦＰの外観を示す斜視図である。
【図３】本発明の一実施形態のプレゼンテーションシステムの全体構成を示す図である。
【図４】上記プレゼンテーションシステムの機能面から見たブロック構成を示す図である。
【図５】上記ＭＦＰの資料編集部がページの送り戻し指示に応じてページを送信するフローを示す図である。
【図６Ａ】上記ＭＦＰの資料編集部がページ編集を起動しない場合における、ページ送信の一例を示す図である。
【図６Ｂ】上記ＭＦＰの資料編集部がページ編集を起動する場合における、ページ送信のの一例を示す図である。
【図７】上記ＭＦＰの資料編集部による編集のフローを示す図である。
【図８Ａ】上記ＭＦＰの資料編集部による編集のフローを示す図である。
【図８Ｂ】上記ＭＦＰの資料編集部による編集のフローを示す図である。
【図９Ａ】上記ＭＦＰの資料編集部による編集のフローを示す図である。
【図９Ｂ】上記ＭＦＰの資料編集部による編集のフローを示す図である。
【図１０】上記ＭＦＰの資料編集部による編集のフローを示す図である。
【図１１Ａ】編集された編集画像データの１例を示す図である。
【図１１Ｂ】編集された編集画像データの１例を示す図である。
【図１１Ｃ】編集された編集画像データの１例を示す図である。
【図１１Ｄ】編集された編集画像データの１例を示す図である。
【図１１Ｅ】編集された編集画像データの１例を示す図である。
【図１１Ｆ】編集された資料の目次を示す画像データの１例を示す図である。
【発明を実施するための形態】
【００３９】
以下、本発明を図示の実施形態により詳細に説明する。
【００４０】
図１は、本発明のプレゼンテーションシステムを構成する一実施形態のプレゼンテーション資料編集装置としてのＭＦＰ（Ｍｕｌｔｉ  Ｆｕｎｃｔｉｏｎ  Ｐｅｒｉｐｈｅｒａｌ；全体を符号１０で示す。）が備えたハードウェアのブロック構成を示している。また、図２はＭＦＰ１０の外観を斜め上方から見たところを示している。ＭＦＰ１０とは、コピー、ネットワークプリンティング、スキャナ、ファクシミリ、またはドキュメントサーバなどの機能を集約した画像形成装置である。複合機などと呼ばれることもある。
【００４１】
図１に示すように、このＭＦＰ１０は、操作部１１と、ディスプレイ部１２と、スキャナ部１３と、プリンタ部１４と、通信インターフェース１６と、ドキュメントフィーダ１７と、給紙装置１８と、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）２１と、ＲＡＭ（Ｒａｎｄｏｍ  Ａｃｃｅｓｓ  Ｍｅｍｏｒｙ）２２と、ハードディスク２３とを備えている。
【００４２】
図２に示すように、プリンタ部１４の上方に、操作部１１と、ディスプレイ部１２とが設けられ、さらにその上方にドキュメントフィーダが設けられている。また、プリント部１４の下部に給紙装置１８が設けられている。図１中の他の構成要素はＭＦＰ１０の内部に設けられている。
【００４３】
操作部１１は、数字、文字、および記号などを入力するための複数のキー１１Ｋと、押下されたキーを認識するセンサとを備え、認識したキーを示す信号を入力するようになっている。
【００４４】
ディスプレイ部１２は、ユーザに対してメッセージを表示する画面、ユーザが設定内容や処理内容を入力するための画面、およびＭＦＰで実行された処理の結果を示す画面などを表示する。ディスプレイ部１２にはタッチパネルが用いられており、これは上記操作部１１に含まれる。このタッチパネルは、ユーザが指で触れたタッチパネル上の位置を検知し、検知結果を示す信号を入力するようになっている。
【００４５】
ドキュメントフィーダ１７は、１枚または複数枚の原稿を次に述べるスキャナ部１３に順次送るために用いられる。
【００４６】
スキャナ部１３は、ドキュメントフィーダ１７の直下に設けられており、ドキュメントフィーダ１７から順次送られてくる原稿の画像を光電的に読み取って、デジタルの画像データ（ここでは、ＲＧＢまたはブラックの濃度を表す濃度データ）を生成する。生成された画像データは、プリンタ部１４において印刷のために用いられるほか、ＴＩＦＦ（Ｔａｇｇｅｄ  Ｉｍａｇｅ  Ｆｉｌｅ  Ｆｏｒｍａｔ）、ＰＤＦ（Ｐｏｒｔａｂｌｅ  Ｄｏｃｕｍｅｎｔ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）などのフォーマットのファイルに変換されてハードディスク２３に記憶される。ファクシミリデータに変換されてファクシミリによる送信に供されることもある。
【００４７】
給紙装置１８は、印刷対象の画像に適した記録シートを、次に述べるプリンタ部１４に供給するために用いられる。
【００４８】
プリンタ部１４は、スキャナ部１３にて読み取られた画像、通信インターフェース１６およびネットワークを介して接続された外部装置から送信されてきたデータの画像、またはファクシミリにより受信したファクシミリデータの画像を、用紙またはフィルムなどの記録シートに印刷する。プリンタ部１４によって画像が印刷された上記記録シートはトレイ１９に排出される。
【００４９】
通信インターフェース１６は、ＰＣ（Ｐｅｒｓｏｎａｌ  Ｃｏｍｐｕｔｅｒ）等の外部装置とＬＡＮ（Ｌｏｃａｌ  Ａｒｅａ  Ｎｅｔｗｏｒｋ）等のネットワークを介して通信を行ったり、電話回線を通じてファクシミリ送受信等を行うための装置である。通信インターフェース１６として、ＮＩＣ（Ｎｅｔｗｏｒｋ  Ｉｎｔｅｒｆａｃｅ  Ｃａｒｄ）、モデム、ＴＡ（Ｔｅｒｍｉｎａｌ  Ａｄａｐｔｅｒ）などが用いられる。
【００５０】
図１中に示すＣＰＵ２０は、ユーザによる操作部１１を介した入力を受けて、このＭＦＰ１０全体の動作を制御するようになっている。
【００５１】
また、ＲＯＭ２１には、画像の読取（スキャン）、原稿の複写（コピー）、ファクシミリデータの送受信、ネットワークプリンティング、およびドキュメントサーバなどの、このＭＦＰの基本機能を実現するためのプログラム、データが記憶されている。そのほか、この実施形態の機能を実現するプログラムおよびデータが記憶されている。また、これらのプログラムまたはデータの一部または全部を、ハードディスク２３にインストールしておいてもよい。この場合は、ハードディスク２３にインストールされているプログラムまたはデータは、必要に応じてＲＡＭ２２にロードされる。
【００５２】
本実施形態で説明する機能は、必ずしもＣＰＵ２０だけでなく専用ハードウェアを利用したり、一部はＯＳ（Ｏｐｅｒａｔｉｎｇ  Ｓｙｓｔｅｍ）等の汎用プログラムの機能を利用して実現することもできる。また、ＲＯＭ２１やＲＡＭ２２として、不揮発性の半導体メモリを用いることもできる。
【００５３】
図３は、本発明の一実施形態のプレゼンテーションシステムのブロック構成を示している。
【００５４】
このプレゼンテーションシステムでは、上述のＭＦＰ１０に対して、画像表示装置としてのプロジェクタ５２と、音声入力装置としてのマイクロフォン５３とが、ネットワーク５１を介して、それぞれデータの送信または受信が可能に接続されている。ここで、プロジェクタ５２は、プレゼンテーション用の資料である画像データを画像として表示する。また、マイクロフォン５３は、上記プレゼンテーションにおける音声を音声データとして取得する。
【００５５】
図４は、上記プレゼンテーションシステムの機能面の見地からのブロック構成を示している。
【００５６】
ＭＦＰ１０は、図１中に示したハードディスク２３と、それぞれＣＰＵ２０およびＲＯＭ２１に格納されたプログラムによって実現される指示検出部２５および資料編集部２６とを備える。ここで、ハードディスク２３は、プレゼンテーション用の画像データを格納する資料格納部として働く。また、指示検出部２５は、上記プレゼンテーション中にプロジェクタ５２に表示された上記画像データの内容、プロジェクタ５２への操作、またはマイクロフォン５３によって取得された音声データの内容から、上記画像データを編集すべきことを表す指示を検出する。また、資料編集部２６は、指示検出部２５が上記指示を検出したとき、上記指示の内容に応じて上記画像データを編集し、この編集された編集画像データをプロジェクタ５２へ送信する。
【００５７】
図５は、資料編集部２６がプロジェクタ５２へのページ送り／戻しの指示に応じてページを送信するフローを示している。次に、図４中の構成要素を用いながら、ＭＦＰ１０の動作について説明する。
【００５８】
（１）まず、図４中に示した資料編集部２６が、ハードディスク２３に対して、複数ページからなるプレゼンテーション用の資料の１ページ目の画像データを要求し、ハードディスク２３からこの画像データを受信する（図５中のステップＳ１）。次に、資料編集部２６は、上記画像データをプロジェクタ５２へページ送信する（図５中のステップＳ１）。ここで「ページ送信」とは、複数ページからなるプレゼンテーション用の資料の画像データのうち任意のページを、ハードディスク２３からプロジェクタ５２へ送信することをいう。
【００５９】
（２）次に、図４中に示した指示検出部２５が特定の指示を検出したか否かに応じて、資料編集部２６はページ編集を起動するか否かを判断する（図５中のステップＳ２）。ここで「ページ編集を起動する」とは、資料編集部２６が、上記画像データを編集してなる編集画像データを作成する状態になることをいう。
【００６０】
また、「指示検出部２５が特定の指示を検出した」場合とは、例えば次のｉ）〜ｉｉｉ）の場合である。
【００６１】
ｉ）指示検出部２５が、上記プレゼンテーション中にプロジェクタ５２に表示された画像データの内容に含まれた特定の単語を検出した場合である。具体的には、この表示された画像データの内容中に「結論」や「まとめ」等の単語を検出した場合である。
【００６２】
ｉｉ）指示検出部２５が、マイクロフォン５３によって取得された音声データの内容に含まれた特定の単語を検出した場合である。具体的には、指示検出部２５がこの音声データをテキスト変換し、その内容中に「決定事項」等の単語を検出した場合である。また、所定回数以上、上記音声データの内容中に、「グラフ２」等の単語を検出した場合である。なお、「決定事項」等の単語の検出以降の音声を指示検出部２５がテキストに変換して保存する。
【００６３】
ｉｉｉ）指示検出部２５が、プロジェクタ５２に対する「ページ送り／戻し」の指示から特定の指示を検出した場合である。具体的には、特定の複数ページの画像データの表示を所定回数以上検出した場合である。また、或るページの画像データを所定回数以上表示させた場合である。
【００６４】
具体的には、資料編集部２６は、プレゼンテーションの状況が上記ｉ）、ｉｉ）の場合に該当するか否かを判断して、それらに該当する場合は（図５中のステップＳ２でＹＥＳ）、後述のステップＳ８へ進む。
【００６５】
一方、プレゼンテーションの状況が上記ｉ）、ｉｉ）の場合に該当しない場合は（図５中のステップＳ２でＮＯ）、資料編集部２６は、指示検出部２５を介して、プレゼンテーションの状況が上記ｉｉｉ）の場合に該当するか否か、すなわち、プロジェクタ５２へのページ送りの指示があるか否か（図５中のステップＳ３）、さらにページ戻しの指示があるか否かを判断する（図５中のステップＳ６）。
【００６６】
詳しくは、図５中のステップＳ３で、ページ送りの指示があれば（図５中のステップＳ３でＹＥＳ）、資料編集部２６は、ハードディスク２３に対して、次のページの画像データを資料編集部２６へ送信するように要求し、ハードディスク２３は、資料編集部２６へこの画像データを送信する（図５中のステップＳ４）。次に、送り戻し操作が終了したか否かを判断する（図５中のステップＳ５）。
【００６７】
送り戻し操作が終了していなければ（図５中のステップＳ５でＮＯ）、資料編集部２６は、再度ページ編集を起動するか否かを判断する（図５中のステップＳ２）。一方、送り戻し操作が終了していれば（図５中のステップＳ５でＹＥＳ）、このフローは終了する。
【００６８】
一方、図５中のステップＳ３でページ送りの指示がなければ（図５中のステップＳ３でＮＯ）、次にプロジェクタ５２へのページ戻しの指示があるか否かを判断する（図５中のステップＳ６）。ここでページ戻しの指示がなければ（図５中のステップＳ６でＮＯ）、資料編集部２６は、再度ページ編集を起動するか否かを判断する（図５中のステップＳ２）。一方、ページ戻しの指示があれば（図５中のステップＳ６でＹＥＳ）、資料編集部２６は、ハードディスク２３に対して、前のページの画像データを資料編集部２６へ送信するように要求する。そして、ハードディスク２３は、資料編集部２６へこの画像データを送信する（図５中のステップＳ７）。この後、送り戻し操作が終了したか否かを判断する（図５中のステップＳ５）。
【００６９】
上述のステップＳ３〜Ｓ７の処理によって、プレゼンテーションの状況が上記ｉｉｉ）の場合に該当すると判断すれば、資料編集部２６はページ編集を起動する（図５中のステップＳ２でＹＥＳ）。
【００７０】
（３）ページ編集を起動した場合（図５中のステップＳ２でＹＥＳ）、資料編集部２６は、まず、ハードディスク２３に対して、編集に必要なページの画像データを資料編集部２６へ送信するように要求する。すると、ハードディスク２３は、資料編集部２６へこの画像データを送信する（図５中のステップＳ８）。次に、資料編集部２６は上記編集に必要なページの画像データを編集し（図５中のステップＳ９）、この編集された編集画像データをページ送信する。この後、送り戻し操作が終了したか否かを判断して、このフローを終了する（図５中のステップＳ５）。
【００７１】
図６Ａおよび図６Ｂを用いて、資料編集部２６によるページ送信の１例を具体的に要約して示す。
【００７２】
図６Ａは、資料編集部２６がページ編集を起動しない場合における、ページ送信の１例を示している。図６Ａの左側に、ページ送信された画像データを、図６Ａの右側に、プロジェクタ５２へのページ送り／戻しの指示を、それぞれ上から順番に時系列に示す。
【００７３】
まず、資料編集部２６は、上記複数ページからなるプレゼンテーション用の資料のページ１の画像データをページ送信する。プロジェクタ５２へ「ページ送り」の指示があると、資料編集部２６はページ２の画像データをページ送信する。そして、プロジェクタ５２へ再度「ページ送り」の指示があると、資料編集部２６はページ３の画像データをページ送信する。
【００７４】
次に、プロジェクタ５２へ「ページ戻り」の指示があると、資料編集部２６はページ２の画像データをページ送信する。そして、プロジェクタ５２へ「ページ送り」の指示があると、資料編集部２６はページ３の画像データをページ送信する。
【００７５】
図６Ｂは、資料編集部２６がページ編集を起動する場合における、ページ送信の１例を示している。図６Ａと同様に、図６Ｂの左側に、ページ送信された画像データを、図６Ｂの右側に、プロジェクタ５２へのページ送り／戻しの指示およびページ編集の起動を、それぞれ上から順番に時系列に示す。
【００７６】
まず、図６Ａと同様に、資料編集部２６はページ１の画像データをページ送信する。次に、プロジェクタ５２へ「ページ送り」の指示があると、資料編集部２６はページ２の画像データをページ送信する。
【００７７】
次に、資料編集部２６がページ編集を起動すると、資料編集部２６は、ハードディスク２３に対してページ編集に必要なページの画像データを要求する。資料編集部２６はこの画像データを編集して編集画像データを作成し、この編集画像データをページ送信する。次に、プロジェクタ５２へ「ページ送り」の指示があると、資料編集部２６はページ３の画像データをページ送信する。
【００７８】
次に、図５中のステップＳ２で、指示検出部２５が上記ｉ）〜ｉｉｉ）の特定の指示を検出した結果、それに応じて、資料編集部２６がページ編集を起動したときに作成される編集画像データを、それぞれ具体例を挙げて説明する。
【００７９】
ａ）まず、上記ｉ）の場合について説明する。
【００８０】
図７のステップＳ２１に示すように、指示検出部２５が、ハードディスク２３に対して、プロジェクタ５２に表示された画像データを指示検出部２５へ送信するように要求すると、ハードディスク２３からこの画像データを受信したとする。ここで、指示検出部２５が上記画像データの内容に特定の単語としての「結論」を検出した場合（ステップＳ２２でＹＥＳ）、資料編集部２６はページ編集を起動する（ステップＳ２３）。
【００８１】
このとき、図１１Ａに示すように、資料編集部２６は、画像データ１００の一部に「結論」および結論の内容を重ねて表示するように、画像データ１００を編集する。そして、編集画像データとしての表示ページ１００Ａを作成して、プロジェクタ５２へ送信する。
【００８２】
したがって、上記プレゼンテーションを受ける者は、表示ページ１００Ａによって、上記プレゼンテーションの内容をより容易に理解することができる。
【００８３】
なお、指示検出部２５が上記画像データの内容から「結論」を検出しなければ（図７中のステップＳ２２でＮＯ）、資料編集部２６はページ編集を起動しない。
【００８４】
ｂ）次に、上記ｉｉ）の場合について説明する。
【００８５】
まず、図８ＡのステップＳ３１に示すように、指示検出部２５がマイクロフォン５３によって取得された音声データの内容をテキストに変換したとする。ここで、上記音声データの内容に特定の単語としての「決定事項」を検出した場合（ステップＳ３２でＹＥＳ）、資料編集部２６はページ編集を起動する（ステップＳ２３）。
【００８６】
このとき、図１１Ｂに示すように、資料編集部２６は、画像データ１００の一部に「決定事項」および決定事項の内容を重ねて表示するように、画像データ１００を編集する。そして、編集データとしての表示ページ１００Ｂを作成して、プロジェクタ５２へ送信する。なお、この決定事項は、指示検出部２５が検出する度に、追加して表示する。
【００８７】
したがって、上記プレゼンテーションを受ける者は、表示ページ１００Ｂによって、上記プレゼンテーションの内容をより容易に理解することができる。
【００８８】
なお、指示検出部２５が上記音声データの内容から「決定事項」を検出しなければ（図８Ａ中のステップＳ３２でＮＯ）、資料編集部２６はページ編集を起動しない。
【００８９】
また、図８Ｂ中のステップＳ３１に示すように、指示検出部２５がマイクロフォン５３によって取得された音声データの内容をテキストに変換したとする。ここで、上記音声データの内容に特定の回数以上含まれた、ハードディスク２３に格納された１又は２以上の特定の画像データを指す単語としての「グラフ２」を検出した場合（ステップＳ３３でＹＥＳ）、資料編集部２６はページ編集を起動する（ステップＳ２３）。
【００９０】
このとき、図１１Ｃに示すように、資料編集部２６は、画像データ１００と「グラフ２」を表すグラフ１０１とがプロジェクタ５２に同時に表示され得るように、グラフ１０１を縮小して、画像データ１００に重ねて表示するように画像データ１００を編集する。そして、編集画像データとしての表示ページ１００Ｃを作成して、プロジェクタ５２へ送信する。
【００９１】
したがって、上記プレゼンテーションを受ける者は、表示ページ１００Ｃによって、上記プレゼンテーションの内容をより容易に理解することができる。
【００９２】
なお、指示検出部２５が上記音声データの内容から「グラフ２」を検出しなければ（図８Ｂ中のステップＳ３３でＮＯ）、資料編集部２６はページ編集を起動しない。
【００９３】
ｃ）次に、上記ｉｉｉ）の場合について説明する。
【００９４】
まず、図９Ａ中のステップＳ４１に示すように、指示検出部２５がプロジェクタ５２に対する「ページ送り／戻し」の指示の履歴を保存したとする。ここで、上記指示の履歴に特定の複数ページの画像データを往復して表示する指示を所定回数以上検出した場合（ステップＳ４２でＹＥＳ）、資料編集部２６はページ編集を起動する（ステップＳ２３）。
【００９５】
このとき、図１１Ｄに示すように、資料編集部２６は、画像データ１００に４個のグラフ１０１をそれぞれ縮小して並べて、４ｉｎ１形式として重ねて表示するように、画像データ１００を編集する。そして、編集画像データとしての表示ページ１００Ｄを作成して、プロジェクタ５２へ送信する。
【００９６】
したがって、上記プレゼンテーションを受ける者は、表示ページ１００Ｄによって、上記プレゼンテーションの内容をより容易に理解することができる。
【００９７】
なお、指示検出部２５が特定の複数ページの画像データを往復して表示するのを所定回数以上検出しなければ（図９Ａ中のステップＳ４２でＮＯ）、資料編集部２６はページ編集を起動しない。
【００９８】
また、図９Ｂ中のステップＳ４１に示すように、指示検出部２５がプロジェクタ５２に対する「ページ送り／戻し」の指示の履歴を保存したとする。ここで、上記指示の履歴に特定のページの画像データを所定回数表示した場合（ステップＳ４３でＹＥＳ）、資料編集部２６はページ編集を起動する（ステップＳ２３）。
【００９９】
このとき、図１１Ｅに示すように、資料編集部２６は、上記１又は２以上の第２の画像データとしてのグラフ１０１をそれぞれ呼び出すアイコン１０２を生成し、上記第１の画像データとしての画像データ１００の一部に上記各アイコン１０２を重ねて表示するように、画像データ１００を編集する。そして、編集画像データとしての表示ページ１００Ｅを作成して、プロジェクタ５２へ送信する。
【０１００】
したがって、このプレゼンテーションを説明する者は、アイコン１０２により、上記画像データ１００を表示しつつ、上記１又は２以上のグラフ１０１をそれぞれ呼び出すことができて、上記プレゼンテーションにおける説明をしやすくなる。
【０１０１】
なお、指示検出部２５が特定のページの画像データの所定回数以上の表示を検出しなければ（図９Ｂ中のステップＳ４３でＮＯ）、資料編集部２６はページ編集を起動しない。
【０１０２】
ｄ）最後に、上記ｉ）、ｉｉ）の場合において、上記プレゼンテーションの内容の章替わりを検出する場合について説明する。
【０１０３】
まず、図１０中のステップＳ２１に示すように、指示検出部２５が、ハードディスク２３に対して、プロジェクタ５２に表示された画像データを指示検出部２５へ送信するように要求して、ハードディスク２３からこの画像データを受信したとする。すると、指示検出部２５がマイクロフォン５３によって取得された音声データの内容をテキストに変換する（ステップＳ３１）。
【０１０４】
次に、例えば、指示検出部２５が上記画像データの内容に上記プレゼンテーションの内容の章替わりに関連した単語としての「４．課題対応検討」を検出した場合（ステップＳ２２でＹＥＳ）、資料編集部２６はページ編集を起動する（ステップＳ２３）。一方、指示検出部２５が上記画像データの内容から「４．課題対応検討」を検出しなければ（ステップＳ２２でＮＯ）、上記音声データの内容に特定の単語としての「４．課題対応検討」が含まれるか検索する（ステップＳ３２）。指示検出部２５が上記音声データの内容に含まれた「４．課題対応検討」を検出した場合（ステップＳ３２でＹＥＳ）、資料編集部２６はページ編集を起動する（ステップＳ２３）。
【０１０５】
このとき、図１１Ｆに示すように、資料編集部２６は、この資料の目次を示す画像データ１００’において、「４．課題対応検討」と、まだプレゼンテーションされていない章を表す「５．テストベクタの作成・検証」および「６．報告のまとめ」を太字にして、上記プレゼンテーションの進行状況を表すように、画像データ１００’を編集する。そして、編集画像データとしての表示ページ１００Ｆを作成して、プロジェクタ５２へ送信する。
【０１０６】
したがって、上記プレゼンテーションを受ける者は、編集された上記資料の目次を示す表示ページ１００Ｆによって、プレゼンテーションの進行状況を容易に把握することができる。
【０１０７】
なお、指示検出部２５が上記音声データの内容から「４．課題対応検討」を検出しなければ（図１０中のステップＳ３２でＮＯ）、資料編集部２６はページ編集を起動しない。
【０１０８】
このように、この実施形態のプレゼンテーション資料編集システムによれば、プレゼンテーション中に、上記プレゼンテーションの状況に応じてリアルタイムに資料の内容である上記画像データを編集することができ、しかも編集のために特別に資料を準備する必要がない。
【０１０９】
また、上記実施形態では、この資料の目次を示す画像データ１００’において、「４．課題対応検討」と、まだプレゼンテーションされていない章を表す「５．テストベクタの作成・検証」および「６．報告のまとめ」を太字にして、上記プレゼンテーションの進行状況を表すように表示した表示ページ１００Ｆを作成したが、既にプレゼンテーションがされた章を表す文字の色を変えたり、見え消しにしても良い。要はプレゼンテーションの進行状況を分かりやすく示せればよい。
【０１１０】
また、上記実施形態では、プレゼンテーション資料編集装置の例としてＭＦＰ１０について説明したが、これに限らず、ＰＣ（Ｐｅｒｓｏｎａｌ  Ｃｏｍｐｕｔｅｒ）等であってもよい。
【符号の説明】
【０１１１】
１０  ＭＦＰ
２３  ハードディスク
２５  指示検出部
２６  資料編集部
５２  プロジェクタ
５３  マイクロフォン
１００  画像データ
１００’  画像データ
１００Ａ  表示ページ
１００Ｂ  表示ページ
１００Ｃ  表示ページ
１００Ｄ  表示ページ
１００Ｅ  表示ページ
１００Ｆ  表示ページ
１０１  グラフ
１０２  アイコン
【図１】
2011086343.tif 000003
【図２】
2011086343.tif 000004
【図３】
2011086343.tif 000005
【図４】
2011086343.tif 000006
【図５】
2011086343.tif 000007
【図６Ａ】
2011086343.tif 000008
【図６Ｂ】
2011086343.tif 000009
【図７】
2011086343.tif 000010
【図８Ａ】
2011086343.tif 000011
【図８Ｂ】
2011086343.tif 000012
【図９Ａ】
2011086343.tif 000013
【図９Ｂ】
2011086343.tif 000014
【図１０】
2011086343.tif 000015
【図１１Ａ】
2011086343.tif 000016
【図１１Ｂ】
2011086343.tif 000017
【図１１Ｃ】
2011086343.tif 000018
【図１１Ｄ】
2011086343.tif 000019
【図１１Ｅ】
2011086343.tif 000020
【図１１Ｆ】
2011086343.tif 000021